(57)【要約】【課題】蓋体セットと筒形ケースとからなるコンテナを積み上げた状態で安定させることが可能であると共に、製造費用に対する費用対効果が従来より優れた蓋体セット及びコンテナを提供する。【解決手段】本発明の蓋体セット５０では、下蓋体６１をパレット１０の上に載置し、その上に筒形ケース４０を載置すると、筒形ケース４０の一部が下側のパレット１０の桁部２０の真上に位置決めされる。また、上蓋体５１を筒形ケース４０の上に載置すると、上蓋体５１の上面に備えた第２の上蓋パレット係合突部５５が、下側の筒形ケース４０の真上に位置決めされる。さらに、上蓋体５１の上に別のパレット１０を載置すると、その第２の上蓋パレット係合突部５５が上蓋体５１の上に載置したパレット１０の桁部２０における桁部係合孔２４に凹凸係合し、上側のパレット１０の桁部２０の一部が下側の筒形ケース４０の真上に位置決めされる。【選択図】図４
2010120678.tif 000002
【特許請求の範囲】
【請求項１】
両端開放の筒形ケースにおける上面開口及び下面開口を閉塞可能な上蓋体及び下蓋体からなる蓋体セットであって、前記筒形ケースと共に荷物搬送用のコンテナを構成し、フォークリフト用のパレットを介して前記コンテナを積み上げ可能とする蓋体セットにおいて、
前記下蓋体の下面には、前記パレットの上面凹部と係合し、前記下蓋体を前記パレットに対して位置決め可能な下蓋パレット係合突部が形成され、
前記下蓋体の上面には、その上に載置した前記筒形ケースの一部が前記下蓋体の下側の前記パレットにおける桁部の真上に位置したときに前記筒形ケースの下端部と係合し、前記筒形ケースを前記下蓋体に対して位置決め可能な下蓋ケース係合部が形成され、
前記上蓋体の下面には、前記筒形ケースの上端部と係合し、前記上蓋体を前記筒形ケースに対して位置決め可能な上蓋ケース係合部が形成され、
前記上蓋体の上面には、その上に載置した前記パレットの桁部における下面凹部と係合して、そのパレットを前記上蓋体に対して位置決め可能な上蓋桁部係合突部が、下側の前記筒形ケースの真上に形成されていることを特徴とする蓋体セット。
【請求項２】
前記筒形ケースは、六角以上の偶数の角部を有する多角形で筒体であり、
前記上蓋体及び前記下蓋体には、前記筒形ケースにおける複数の直線状先端縁が差し込まれる複数の直線状係合溝が、前記上蓋ケース係合部又は前記下蓋ケース係合部として形成され、
前記複数の直線状係合溝は、幅広の前記直線状係合溝と幅狭の前記直線状係合溝とを交互に配置してなり、
前記上蓋体と前記下蓋体との間で、前記幅広の直線状係合溝同士及び前記幅狭の直線状係合溝同士を対向配置したことを特徴とする請求項１に記載の蓋体セット。
【請求項３】
前記下蓋体に、前記筒形ケースの外側と内側に嵌合される下端外側嵌合突部と下端内側嵌合突部とを突出形成し、
前記下端外側嵌合突部と前記下端内側嵌合突部との間を前記下蓋ケース係合部としてのケース下端係合溝とし、
前記下端内側嵌合突部の溝内側面を、上下方向と略平行な直立面とする一方、前記下端内側嵌合突部の溝外側面を、上下方向に対して傾斜した傾斜面としたことを特徴とする請求項１又は２に記載の蓋体セット。
【請求項４】
前記上蓋体に、前記筒形ケースの外側と内側に嵌合される上端外側嵌合突部と上端内側嵌合突部とを突出形成し、
前記上端外側嵌合突部と前記上端内側嵌合突部との間を前記上蓋ケース係合部としてのケース上端係合溝とし、
前記上端内側嵌合突部の溝内側面を、上下方向に対して傾斜した傾斜面としたことを特徴とする請求項１乃至３の何れかに記載の蓋体セット。
【請求項５】
前記上蓋体及び前記下蓋体は、樹脂シートの真空成形品であって、前記上蓋体及び前記下蓋体には、前記樹脂シートの外縁部を膨出させて閉じた環形状の環状外縁突部が形成され、前記環状外縁突部には、突出高さ及び幅が比較的小さい小膨出部と比較的大きい大膨出部とが交互に並べられて複数ずつ形成されていることを特徴とする請求項１乃至４の何れかに記載の蓋体セット。
【請求項６】
請求項１乃至５の何れかに記載の蓋体セットと、前記筒形ケースとから構成されたことを特徴とするコンテナ。
【発明の詳細な説明】
【技術分野】
【０００１】
本発明は、上下両端面が開放した筒形ケースの両端開口を上蓋体と下蓋体とで閉塞してなるコンテナと、それら下蓋体と上蓋体とからなる蓋体セットに関する。
【背景技術】
【０００２】
図１２に示すように、この種の従来の下蓋体１は、下面に複数の桁部１Ｋを備えて、床面との間にフォークリフトのフォークを挿入するスペースを確保している。また、上蓋体２を下蓋体１の上に載置すると位置決めされる。そして、図１３に示すように、上蓋体２と下蓋体１と筒形ケース３とからなるコンテナ４が複数積み上げ可能になっている（例えば、特許文献１参照）。
【特許文献１】特許第４１３９６２７号公報（第２図、第３図）
【発明の開示】
【発明が解決しようとする課題】
【０００３】
ところで、上記した従来の下蓋体１は、フォークとの衝突、床面との摩擦等を考慮すると汎用のパレットと同様の強度が必要になり、そのような強度を確保すると重量が増すと共に製造コストが高くなる。そして、筒形ケース３の下面開口を閉塞する目的以外に使用不可能な下蓋体１に、汎用のパレットと同様の製造コストをかけると費用対効果が悪くなる。また、上記した従来の蓋体セットでは、図１４に示すように、上蓋体２の下面に対して筒形ケース３が当接する部位と、上蓋体２の上面に対して下蓋体１が当接する部位とが水平方向でずれている。このため、上蓋体２の外縁部が曲げ変形して筒形ケース３と上蓋体２との係合が浅くなり、コンテナ４が積み上げた状態で不安定になり得た。
【０００４】
本発明は、上記事情に鑑みてなされたもので、筒形ケースと蓋体セットとからなるコンテナを積み上げた状態で安定させることが可能であると共に、製造費用に対する費用対効果が従来より優れた蓋体セット及びコンテナの提供を目的とする。
【課題を解決するための手段】
【０００５】
上記目的を達成するためになされた請求項１の発明に係る蓋体セットは、両端開放の筒形ケースにおける上面開口及び下面開口を閉塞可能な上蓋体及び下蓋体からなる蓋体セットであって、筒形ケースと共に荷物搬送用のコンテナを構成し、フォークリフト用のパレットを介してコンテナを積み上げ可能とする蓋体セットにおいて、下蓋体の下面には、パレットの上面凹部と係合し、下蓋体をパレットに対して位置決め可能な下蓋パレット係合突部が形成され、下蓋体の上面には、その上に載置した筒形ケースの一部が下蓋体の下側のパレットにおける桁部の真上に位置したときに筒形ケースの下端部と係合し、筒形ケースを下蓋体に対して位置決め可能な下蓋ケース係合部が形成され、上蓋体の下面には、筒形ケースの上端部と係合し、上蓋体を筒形ケースに対して位置決め可能な上蓋ケース係合部が形成され、上蓋体の上面には、その上に載置したパレットの桁部における下面凹部と係合して、そのパレットを上蓋体に対して位置決め可能な上蓋桁部係合突部が、下側の筒形ケースの真上に形成されているところに特徴を有する。
【０００６】
請求項２の発明は、請求項１に記載の蓋体セットにおいて、筒形ケースは、六角以上の偶数の角部を有する多角形で筒体であり、上蓋体及び下蓋体には、筒形ケースにおける複数の直線状先端縁が差し込まれる複数の直線状係合溝が、上蓋ケース係合部又は下蓋ケース係合部として形成され、複数の直線状係合溝は、幅広の直線状係合溝と幅狭の直線状係合溝とを交互に配置してなり、上蓋体と下蓋体との間で、幅広の直線状係合溝同士及び幅狭の直線状係合溝同士を対向配置したところに特徴を有する。
【０００７】
請求項３の発明は、請求項１又は２に記載の蓋体セットにおいて、下蓋体に、筒形ケースの外側と内側に嵌合される下端外側嵌合突部と下端内側嵌合突部とを突出形成し、下端外側嵌合突部と下端内側嵌合突部との間を下蓋ケース係合部としてのケース下端係合溝とし、下端内側嵌合突部の溝内側面を、上下方向と略平行な直立面とする一方、下端内側嵌合突部の溝外側面を、上下方向に対して傾斜した傾斜面としたところに特徴を有する。
【０００８】
請求項４の発明は、請求項１乃至３の何れかに記載の蓋体セットにおいて、上蓋体に、筒形ケースの外側と内側に嵌合される上端外側嵌合突部と上端内側嵌合突部とを突出形成し、上端外側嵌合突部と上端内側嵌合突部との間を上蓋ケース係合部としてのケース上端係合溝とし、上端内側嵌合突部の溝内側面を、上下方向に対して傾斜した傾斜面としたところに特徴を有する。
【０００９】
請求項５の発明は、請求項１乃至４の何れかに記載の蓋体セットにおいて、上蓋体及び下蓋体は、樹脂シートの真空成形品であって、上蓋体及び下蓋体には、樹脂シートの外縁部を膨出させて閉じた環形状の環状外縁突部が形成され、環状外縁突部には、突出高さ及び幅が比較的小さい小膨出部と比較的大きい大膨出部とが交互に並べられて複数ずつ形成されているところに特徴を有する。
【００１０】
請求項６の発明に係るコンテナは、請求項１乃至５の何れかに記載の蓋体セットと、筒形ケースとから構成されたところに特徴を有する。
【発明の効果】
【００１１】
［請求項１の発明］
請求項１の蓋体セットでは、下蓋体をパレットの上に載置し、その下蓋体の上に筒形ケースを載置すると、筒形ケースの一部が下側のパレットにおける桁部の真上に位置決めされる。また、上蓋体を筒形ケースの上に載置すると、上蓋体の上面に備えた上蓋桁部係合突部が、下側の筒形ケースの真上に位置決めされる。さらに、上蓋体の上に別のパレットを載置すると、そのパレットの桁部における下面凹部に上蓋桁部係合突部が係合し、上側のパレットにおける桁部の一部が下側の筒形ケースの真上に位置決めされる。ここで、パレットの桁部は、パレットの上面と下面との間の全体に亘って延びかつパレットのうち上下方向の負荷に対して最も変形し難い部位である。そして、本発明の構成によれば、下蓋体のうちパレットの桁部にて真下から支持された部位で筒形ケースの荷重を支持すると共に、上蓋体のうち筒形ケースにて真下から支持された部位で上側のパレットの桁部を支持することになる。これにより、下蓋体及び上蓋体には曲げ応力がかかり難くなり、下蓋体及び上蓋体の変形が防がれる。しかも、上蓋体とその上のパレットの間では、そのパレットのうち最も変形し難いために最も強く上蓋体に押し付けられる桁部の下面凹部と、上蓋体のうち筒形ケースにて支持されて変形し難い位置に配置された上蓋桁部係合突部とが凹凸係合するので、上蓋体とその上側のパレットとの位置決めの信頼性が高くなる。これらにより、筒形ケースと蓋体セットとからなるコンテナを、積み上げた状態で安定させることができる。また、本発明の構成によれば、下蓋体がパレットと別々になっているので、下蓋体を外した状態のパレットを、汎用のパレットとして使用することができ、パレットの有効利用が図られる。即ち、本発明の構成によれば、下蓋体とパレットの製造コストの合計に対する費用対効果が、下蓋体とパレットとを一体化した従来品の製造コストに対する費用対効果に比べて向上する。
【００１２】
［請求項２の発明］
請求項２の構成では、多角形の筒形ケースにおける複数の直線状先端縁が、上蓋体及び下蓋体にそれぞれ形成された複数の直線状係合溝にそれぞれ差し込まれる。ここで、複数の直線状係合溝は、幅広の直線状係合溝と幅狭の直線状係合溝とを交互に配置してなるので、筒形ケースにおける各直線状先端縁の長さがばらついても、そのばらつきを幅広の直線状係合溝で吸収することができると共に、幅狭の直線状係合溝で筒形ケースを位置決めして筒形ケースと上蓋体及び下蓋体との間のガタを無くすことができる。即ち、本発明の構成によれば、位置決め機能を確保しつつ、筒形ケースの形状のばらつきを吸収することができる。
【００１３】
［請求項３の発明］
請求項３の蓋体セットでは、筒形ケースの下端部が、下蓋体に備えた下端外嵌合突部と下端内側嵌合突部との間のケース下端係合溝に嵌合される。ここで、下端内側嵌合突部の溝内側面は、上下方向と略平行な直立面になっているので、下端内側嵌合突部による筒形ケースの位置決め精度が高くなる。また、下端内側嵌合突部の溝外側面は、上下方向に対して傾斜した傾斜面になっているので、筒形ケース内に収容した荷物が、下端内側嵌合突部の角部が当接して損傷する事態を回避することができる。
【００１４】
［請求項４の発明］
請求項４の蓋体セットによれば、筒形ケースの上端部が、上蓋体に備えた上端外側嵌合突部と上端内側嵌合突部との間のケース上端係合溝に嵌合される。ここで、筒形ケースの上端部の一部が上蓋体の中央寄りにずれても、上端内側嵌合突部の溝内側面は上下方向に対して傾斜した傾斜面になっているので、その傾斜面と筒形ケースの上端部との摺接によりずれが修正される。これにより、筒形ケースの上面に上蓋体を組み付ける作業が容易になる。
【００１５】
［請求項５の発明］
請求項５の蓋体セットでは、上蓋体及び下蓋体が樹脂シートの真空成形品であり、樹脂シートの外縁部に膨出形成された環状外縁突部が、突出高さ及び幅が比較的小さい小膨出部と比較的大きい大膨出部とを交互に並べた構成になっているので、それら小膨出部と大膨出部との段差部分が、環状外縁突部の先端面及び側面に対して直角曲げされた補強壁の役割を果たし、環状外縁突部の強度アップが図られる。
【００１６】
［請求項６の発明］
請求項６のコンテナは、請求項１乃至５の何れかに記載の蓋体セットと、筒形ケースとから構成されているので、積み上げた状態で従来より安定させることができる。
【発明を実施するための最良の形態】
【００１７】
以下、本発明の一実施形態を図１〜図１１に基づいて説明する。図１に示すように、本実施形態のコンテナ３０は、筒形ケース４０と蓋体セット５０とからなり、その蓋体セット５０は、上蓋体５１と下蓋体６１とからなる。また、コンテナ３０は、パレット１０を介して積み上げ可能となっている。
【００１８】
図２及び図３には、パレット１０の詳細構造の一例が示されている。このパレット１０は、樹脂の射出成形品であって、平面略正方形のデッキボード１１の下面に複数の桁部２０を備え、それら桁部２０，２０同士の間がフォーク挿入空間１４になっている。図２に示すように、デッキボード１１には、その外縁部と縦横の中心線とに沿った部位に、比較的強度が大きな上面強化梁１２が備えられ、デッキボード１１の全体で上面強化梁１２が「田」の字形状になっている。そして、上面強化梁１２に囲まれた四角形の４つの領域がそれぞれ荷受盤１３にて塞がれている。
【００１９】
桁部２０は、デッキボード１１のうち上面強化梁１２同士の交差位置に配置されている。即ち、桁部２０は、デッキボード１１の四隅と、デッキボード１１の各外縁部における各中央部と、デッキボード１１の平面形状における図心との計９箇所に配置されている。また、図３に示すように、縦横の何れかの方向で隣り合った桁部２０，２０の下端部の間には、下面強化梁１５が差し渡され、その下面強化梁１５も全体が「田」の字形状になっている。なお、下面強化梁１５に囲まれた四角形の４つの領域には、荷受盤１３に相当する構造体はなく、単なる空間になっている。
【００２０】
パレット１０は、上下方向に開放した複数の網の目を有するメッシュ構造になっている。以下、メッシュ構造のうち上蓋体５１と下蓋体６１との係合に係る部位に関して説明する。図２に示すように、パレット１０の上面強化梁１２のうち「十」の字状に交差した部分の桁部２０と、「十」の字の４つの各先端に位置した桁部２０との間を連絡する各部位には、それぞれ３つずつの梁溝１６が形成されている。それら３つの梁溝１６は、上面強化梁１２の長手方向に沿って延びかつ上面強化梁１２の幅方向で横並びになっている。また、上面強化梁１２のうちデッキボード１１の外縁部に沿って延び、桁部２０，２０の間に連絡された各部位は、格子構造になっており、長方形の複数の格子孔１８を有している。荷受盤１３も格子構造になっており、複数の正方形の格子孔１９を有している。
【００２１】
各桁部２０は、パレット１０の上面と下面との間の全体に亘って延びた四角形の筒壁２１の内部に補強リブを備えた構造になっている。また、パレット１０の四辺の外縁部中央にそれぞれ配置された４つの各桁部２０の上面には、パレット１０の中央寄り位置に３つの桁上面溝１７が平行に配置して備えられ、それら各桁部２０の下面には、図３に示すように、パレット１０の中央寄り位置に２つの桁下面溝２３が平行に配置して備えられている。さらに、パレット１０のうち四隅の各桁部２０の下面における中央寄りの角部には、五角形の桁部係合孔２４が備えられている。
【００２２】
図１に示すように、筒形ケース４０は、例えば、平面形状が八角形で上下両端が開放した筒形構造になっている。その八角形は、４つの同一長さの短辺と４つの同一長さの長辺とを交互に配置して構成されている。また、この筒形ケース４０は、段ボールを折り曲げてなり、隣り合った折り曲げ線の間が前記した長辺に相当する幅広壁４１か、又は、前記した短辺に相当する幅狭壁４２になっている。
【００２３】
図１に示すように、下蓋体６１は、筒形ケース４０の端面形状の対応した八角形の平板体に凹凸を設けた構造になっている。また、下蓋体６１は、樹脂シートの真空成形品であって、表裏両面のうち一方の面の突部は他方の面の凹部になり、一方の面の凹部は他方の面の突部になっている。詳細には、図７（Ａ）及び図７（Ｃ）に示すように、下蓋体６１の上面には、外縁部全体を上方に膨出させて外側環状嵌合突部６２（本発明の「下端外側嵌合突部」と「環状外縁突部」に相当する）が形成されている。この外側環状嵌合突部６２は、筒形ケース４０の平面形状と同様に４つの短辺と４つの長辺とが交互に配置された八角形の閉じた環状をなしている。また、図７（Ｂ）に示すように、外側環状嵌合突部６２には、突出高さ及び幅が共に比較的大きい大膨出部６２Ａと突出高さ及び幅が共に比較的小さい小膨出部６２Ｂとが交互に並べられて複数ずつ形成されている。そして、小膨出部６２Ｂが、外側環状嵌合突部６２のうち八角形の各短辺部分における中央に１つずつ配置されると共に、外側環状嵌合突部６２のうち八角形の各長辺部分の５箇所に等間隔に配置され、小膨出部６２Ｂ以外の部分は大膨出部６２Ａになっている。
【００２４】
詳細には、図６に示すように、小膨出部６２Ｂの高さは大膨出部６２Ａの高さの略６〜７割程度になっている。また、小膨出部６２Ｂの幅は大膨出部６２Ａの幅の略５〜６割程度になっており、小膨出部６２Ｂの内外の両側面が、大膨出部６２Ａの内外の両側面に対して陥没している。そして、小膨出部６２Ｂと大膨出部６２Ａとの間が、門形の段差壁６２Ｃになっている。段差壁６２Ｃは、大膨出部６２Ａ及び小膨出部６２Ｂの内外両側面と上面とに対して直角曲げされた補強壁の役割を果たし、外側環状嵌合突部６２の強度アップが図られている。また、外側環状嵌合突部６２のうち八角形の各長辺部分において小膨出部６２Ｂ，６２Ｂに両側を挟まれた大膨出部６２Ａの外側面には、上下方向に延びた外側凹部６２Ｖが陥没形成されている。そして、この外側凹部６２Ｖの両側の段差部によって大膨出部６２Ａの強度アップが図られている。
【００２５】
図７（Ａ）及び図７（Ｃ）に示すように、下蓋体６１の上面には、外側環状嵌合突部６２の内側に内側環状嵌合突部６３が（本発明の「下端内側嵌合突部」に相当する）形成されている。この内側環状嵌合突部６３も下蓋体６１と同様に４つの短辺と４つの長辺とが交互に配置された八角形の閉じた環状をなしている。そして、図５に示すように、外側環状嵌合突部６２と内側環状嵌合突部６３との間はケース下端係合溝６１Ｍになっており、ここに筒形ケース４０の下端部が差し込まれて、下蓋体６１が筒形ケース４０の下面開口を閉塞する。ここで、図７（Ａ）に示すように、ケース下端係合溝６１Ｍを、筒形ケース４０の先端部における八角形の短辺部分が挿入される短辺用の直線状係合溝６１Ｔと、筒形ケース４０の先端部における八角形の長辺部分が挿入される長辺用の直線状係合溝６１Ｃとに区分すると、短辺用の直線状係合溝６１Ｔは、長辺用の直線状係合溝６１Ｃより幅広（例えば、略３倍の広さ）になっている。即ち、短辺用の直線状係合溝６１Ｔにおける外側環状嵌合突部６２と内側環状嵌合突部６３との間隔は、長辺用の直線状係合溝６１Ｃにおける外側環状嵌合突部６２と内側環状嵌合突部６３との間隔より大きくなっている。また、図６に示すように、内側環状嵌合突部６３のうちケース下端係合溝６１Ｍの内側の溝内側面は、上下方向と略平行な直立面６３Ａになっている。一方、内側環状嵌合突部６３のうちケース下端係合溝６１Ｍの外側の溝外側面は、上下方向に対して全体が凹状に丸みを帯びて傾斜した傾斜面６３Ｂになっている。また、内側環状嵌合突部６３の上端部は円弧状になって直立面６３Ａと傾斜面６３Ｂとの間を連絡している。なお、下蓋体６１の下面においては、外側環状嵌合突部６２及び内側環状嵌合突部６３の裏側は環状溝６２Ｍ，６３Ｍになっている。
【００２６】
図４に示すように、下蓋体６１は、パレット１０の上面に載置される。このとき、下蓋体６１の平面形状である八角形の図心と、パレット１０の平面形状である正方形の図心とを一致させると共に、下蓋体６１の八角形の長辺とパレット１０の四角形の各辺とが平行になるように配置すると、下蓋体６１の下面の突部がパレット１０の上面の凹部に係合して下蓋体６１がパレット１０の上面の縦横両方向で位置決めされる。
【００２７】
具体的には、図７（Ａ）〜図７（Ｃ）に示すように、下蓋体６１の下面には、平面形状である八角形の各長辺の中央部と図心との連絡する帯状領域に、突条構造の第１の下蓋パレット係合突部６４が３つ横並びなってそれぞれ突出形成され、これら第１の下蓋パレット係合突部６４が、図２に示したパレット１０の各梁溝１６に凹凸係合する。
【００２８】
また、図７（Ａ）〜図７（Ｃ）に示すように、下蓋体６１の下面には、平面形状である八角形のうち各長辺部分の中央における環状溝６３Ｍ（内側環状嵌合突部６３）の内側近傍に、平面形状が長方形の角柱状になった第２の下蓋パレット係合突部６５が２つずつ突出形成されている。そして、これら第２の下蓋パレット係合突部６５が、図２に示したパレット１０における桁上面溝１７に係合する。
【００２９】
また、図７（Ａ）〜図７（Ｃ）に示すように、下蓋体６１の下面には、第１の下蓋パレット係合突部６４群によって仕切られた４つの領域に、平面形状が正方形の角柱状になった複数の第３の下蓋パレット係合突部６６が、正方形の環状に並べて突出形成されている。そして、これら第３の下蓋パレット係合突部６６が、図２に示したパレット１０における格子孔１９に係合する。
【００３０】
さらに、図７（Ａ）〜図７（Ｃ）に示すように、下蓋体６１の下面には、第３の下蓋パレット係合突部６６群と環状溝６３Ｍ（内側環状嵌合突部６３）との間に、平面形状が比較的小さな長方形の角柱状になった複数の第４の下蓋パレット係合突部６７が突出形成されている。そして、これら第４の下蓋パレット係合突部６７が、図１に示したパレット１０における格子孔１８に係合する。
【００３１】
図１に示した上蓋体５１は、下蓋体６１と同様に、樹脂シートの真空成形品であって、筒形ケース４０の端面形状の対応した八角形の平板体に凹凸を設けた構造になっている。図９（Ａ）及び図９（Ｃ）に示すように、上蓋体５１の下面には、下蓋体６１の外側環状嵌合突部６２と同形状の外側環状嵌合突部５２（本発明の「上端外側嵌合突部」と「環状外縁突部」に相当する）が形成されている。また、図９（Ｂ）に示すように、外側環状嵌合突部５２にも大膨出部５２Ａと小膨出部５２Ｂとが交互に並べられて備えられ、大膨出部５２Ａの外側面には外側凹部５２Ｖが陥没形成されている。
【００３２】
上蓋体５１の下面には、外側環状嵌合突部５２の内側に内側環状嵌合突部５３（本発明の「上端内側嵌合突部」に相当する）が形成されている。この内側環状嵌合突部５３は、外側環状嵌合突部５２と同様に４つの短辺と４つの長辺とが交互に配置された八角形をなしている。また、内側環状嵌合突部５３の各短辺部分は、中央部分が所定長だけ途切れている。
【００３３】
外側環状嵌合突部５２と内側環状嵌合突部５３との間はケース上端係合溝５１Ｍになっており、ここに筒形ケース４０の上端部が差し込まれて、上蓋体５１が筒形ケース４０の上面開口を閉塞する。このケース上端係合溝５１Ｍも、下蓋体６１のケース下端係合溝６１Ｍと同様に、図９（Ａ）に示すように、短辺用の直線状係合溝５１Ｔと長辺用の直線状係合溝５１Ｃとに区分すると、短辺用の直線状係合溝５１Ｔは、長辺用の直線状係合溝５１Ｃより幅広（例えば、略３倍の広さ）になっている。
【００３４】
図６に示すように、内側環状嵌合突部５３のうちケース上端係合溝５１Ｍの内側の溝内側面は、上下方向に対して全体が傾斜した傾斜面５３Ａになっている。また、内側環状嵌合突部５３のうちケース上端係合溝５１Ｍの外側の溝外側面は、上下方向に対して平行になった直立面５３Ｂになっている。なお、上蓋体５１の上面においては、外側環状嵌合突部５２及び内側環状嵌合突部５３の裏側は環状溝５２Ｍ，５３Ｍになっている。
【００３５】
図４に示すように、上蓋体５１の上面には、パレット１０が載置される。このとき、上蓋体５１の平面形状である八角形の図心と、パレット１０の平面形状である正方形の図心とを一致させると共に、上蓋体５１の八角形の長辺とパレット１０の四角形の各辺とが平行になるように配置すると、上蓋体５１の上面の突部がパレット１０の下面の凹部に係合して上蓋体５１がパレット１０の上面の縦横両方向で位置決めされる。
【００３６】
具体的には、上蓋体５１の上面には、平面形状の八角形のうち各長辺の中央部のうち環状溝５３Ｍ（内側環状嵌合突部５３）より若干内側部分に、平面形状が長方形の角柱状になった第１の上蓋パレット係合突部５４がそれぞれ突出形成されている。そして、これら第１の上蓋パレット係合突部５４がパレット１０の下面における桁下面溝２３に係合する。
【００３７】
また、上蓋体５１の上面のうちケース上端係合溝５１Ｍの裏面側に相当する部分には、平面形状の八角形のうち各短辺の中央部位置に、平面形状が五角形の角柱状になった第２の上蓋パレット係合突部５５（本発明の「上蓋桁部係合突部」に相当する）が突出形成されている。そして、各第２の上蓋パレット係合突部５５が、パレット１０の下面における桁部係合孔２４に係合する。
【００３８】
さらに、上蓋体５１の上面には、図３に示したパレット１０の下面のうち下面強化梁１５に囲まれた四角形の４つの空間に嵌合可能な４つの第１の上蓋パレット係合突部５６が備えられている。
【００３９】
本実施形態の蓋体セット５０及びコンテナ３０の構成に関する説明は以上である。次に、蓋体セット５０及びコンテナ３０の作用効果について説明する。
【００４０】
図４に示すように、本実施形態の蓋体セット５０のうち下蓋体６１をパレット１０の上に載置すると、下蓋体６１の下面の第１〜第４の下蓋パレット係合突部６４〜６７が下側のパレット１０の上面に備えた梁溝１６、桁上面溝１７等（図２参照）の凹部に凹凸係合し、下蓋体６１がパレット１０に対して位置決めされる。
【００４１】
次いで、図５に示すように、下蓋体６１を上に筒形ケース４０を載置すると、下蓋体６１の上面におけるケース下端係合溝６１Ｍに筒形ケース４０の下端部が嵌合し、下蓋体６１に対して筒形ケース４０が位置決めされる。そして、筒形ケース４０の一部が、下蓋体６１を介して、下側のパレット１０における外縁部に配置された８つの桁部２０（図２参照）の真上に位置決めされる。
【００４２】
ここで、本実施形態の筒形ケース４０が、長辺と短辺とが交互に並べられた八角形の筒体構造になっているのに対し、下蓋体６１のケース下端係合溝６１Ｍは、図８（Ａ）及び図８（Ｂ）に示すように、短辺用の幅広の直線状係合溝６１Ｔと長辺用の幅狭の直線状係合溝６１Ｃとを交互に配置して備えているので、筒形ケース４０の多角形の折り目位置のばらつきにより、筒形ケース４０における長短の直線状先端縁の長さがばらついても、そのばらつきを幅広の直線状係合溝６１Ｔで吸収することができる。また、このとき、幅狭の直線状係合溝６１Ｃで筒形ケース４０を位置決めして筒形ケース４０と下蓋体６１との間のガタを無くすことができる。即ち、本実施形態の構成によれば、位置決め機能を確保しつつ、筒形ケース４０の形状のばらつきを吸収することができる。
【００４３】
また、図６に示すように、ケース下端係合溝６１Ｍを構成する外側環状嵌合突部６２と内側環状嵌合突部６３のうち内側環状嵌合突部６３における溝内側面は、上下方向と略平行な直立面６３Ａになっているので、内側環状嵌合突部６３による筒形ケース４０の位置決め精度が高くなる。さらに、内側環状嵌合突部６３の溝外側面は、上下方向に対して傾斜した傾斜面６３Ｂになっているので、筒形ケース４０内に収容した荷物が、内側環状嵌合突部６３の角部に当接して損傷する事態を回避することができる。
【００４４】
次いで、筒形ケース４０の上面に上蓋体５１を載置すると、上蓋体５１の下面のケース上端係合溝５１Ｍに筒形ケース４０の上端部が嵌合し、筒形ケース４０の上端部に対して上蓋体５１が位置決めされる。このとき、上蓋体５１の上面に備えた第２の上蓋パレット係合突部５５が、下側の筒形ケース４０の真上に位置決めされる。
【００４５】
ここで、上蓋体５１のケース上端係合溝５１Ｍも、上記ケース下端係合溝６１Ｍと同様に、短辺用の幅広の直線状係合溝５１Ｔと長辺用の幅狭の直線状係合溝５１Ｃとを交互に配置して備え（図９（Ａ）参照）、ケース上端係合溝５１Ｍとケース下端係合溝６１Ｍとの間で幅広の直線状係合溝５１Ｔ，６１Ｔ同士、幅狭の直線状係合溝５１Ｃ，６１Ｃ同士が対向配置されているので、筒形ケース４０における長短の直線状先端縁の長さがばらつきを幅広の直線状係合溝５１Ｔで吸収することができると共に、幅狭の直線状係合溝５１Ｃで筒形ケース４０を位置決めしてガタを無くすことができる。また、図６に示すように、ケース上端係合溝５１Ｍを構成する外側環状嵌合突部５２と内側環状嵌合突部５３のうち内側環状嵌合突部５３における溝内側面は、上下方向に対して傾斜した傾斜面５３Ａになっているので、筒形ケース４０の上端部の一部が上蓋体５１の中央寄りにずれても、内側環状嵌合突部５３の傾斜面６３Ｂと筒形ケース４０の上端部が摺接してずれが修正される。これにより、筒形ケース４０の上面に上蓋体を組み付ける作業が容易になる。さらには、内側環状嵌合突部５３における溝外側面は直立面５３Ｂになっているので、内側環状嵌合突部５３のうち直立面５３Ｂを有した部分が補強リブに役割を果たし、上蓋体５１の剛性を高めることができる。
【００４６】
次いで、図４に示すように、上蓋体５１の上面にパレット１０を載置すると、上蓋体５１の第１〜第３の上蓋パレット係合突部５４，５５，５６が上側のパレット１０の下面における桁下面溝２３等の凹部に凹凸係合し、そのパレット１０が上蓋体５１に対して位置決めされる。このとき、第１〜第３の上蓋パレット係合突部５４，５５，５６のうち本発明の「上蓋桁部係合突部」に相当する第２の上蓋パレット係合突部５５は、図１０及び図１１に示すように、上蓋体５１の上に載置したパレット１０の桁部２０における桁部係合孔２４に凹凸係合する。そして、上側のパレット１０の桁部２０の一部が、上蓋体５１を介して、筒形ケース４０の真上に位置決めされる。
【００４７】
ここで、パレット１０の桁部２０は、パレット１０の上面と下面との間の全体に亘って延びかつパレット１０のうち上下方向の負荷に対して最も変形し難い部位である。そして、本実施形態の構成によれば、下蓋体６１のうちパレット１０の桁部２０にて真下から支持された部位で筒形ケース４０を支持すると共に、上蓋体５１のうち筒形ケース４０にて真下から支持された部位で上側のパレット１０の桁部２０を支持することになる。これにより、下蓋体６１及び上蓋体５１には曲げ応力がかかり難くなり、下蓋体６１及び上蓋体５１の変形が防がれる。
【００４８】
しかも、上蓋体５１とその上のパレット１０の間では、そのパレット１０のうち最も変形し難いために最も強く上蓋体５１に押し付けられる桁部２０の桁部係合孔２４と、上蓋体５１のうち筒形ケース４０にて支持されて変形し難い位置に配置された第２の上蓋パレット係合突部５５とが凹凸係合するので、上蓋体５１とその上側のパレット１０との位置決めの信頼性が高くなる。これらにより、筒形ケース４０と蓋体セット５０とからなるコンテナ３０を、積み上げた状態で安定させることができる。また、下蓋体６１がパレット１０と別々になっているので、下蓋体６１を外した状態のパレット１０を汎用のパレット１０として使用することができ、パレット１０の有効利用が図られる。即ち、本実施形態の構成によれば、下蓋体６１とパレット１０の製造コストの合計に対する費用対効果が、それら下蓋体とパレットとを一体化した従来品の製造コストに対する費用対効果に比べて向上する。
【００４９】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５０】
（１）前記実施形態の筒形ケース４０は、八角形の筒形形状であった、筒形ケースは、四角形、五角形等、任意の多角形の角筒形であってもよいし、円筒形又は楕円筒形であってもよい。
【００５１】
（２）前記実施形態のパレット１０は、上面と下面の形状が異なっていたが、パレットの上面と下面とを同形状にしてもよい。具体的には、上記したパレット１０の上下の両面に前記デッキボード１１，１１を備えて上下の両面を同形状にしてもよい。この場合、上蓋体を裏返しにすると下蓋体になるように、上蓋体と下蓋体とを同形状にしてもよい。
【００５２】
（３）前記実施形態の上蓋体５１及び下蓋体６１は、樹脂シートの真空成形品であったが、樹脂の射出成形品であってもよい。
【図面の簡単な説明】
【００５３】
【図１】本発明の一実施形態に係るコンテナとパレットの斜視図
【図２】パレットを斜め上方から見た斜視図
【図３】パレットを斜め下方から見た斜視図
【図４】コンテナを積み上げた状態の蓋体セットの側面図
【図５】コンテナを積み上げた状態の蓋体セットの側断面図
【図６】コンテナを積み上げた状態の蓋体セットの拡大側断面図
【図７】（Ａ）下蓋体の平面図，（Ｂ）下蓋体の側面図，（Ｃ）図７（Ａ）におけるＸ−Ｘ断面の側断面図
【図８】（Ａ）正規の形状からばらついた筒形ケースと下蓋体の部分平面図，（Ｂ）正規の形状の筒形ケースと下蓋体の部分平面図
【図９】（Ａ）上蓋体の平面図，（Ｂ）上蓋体の側面図，（Ｃ）図９（Ａ）におけるＹ−Ｙ断面の側断面図
【図１０】上蓋体とパレットの桁部の平面図
【図１１】図１０におけるＺ−Ｚ断面の上蓋体とパレットの断面図
【図１２】従来のコンテナの分解斜視図
【図１３】従来のコンテナを積み重ねた状態の側面図
【図１４】従来のコンテナを積み重ねた状態の部分拡大側断面図
【符号の説明】
【００５４】
１０    パレット
１６    梁溝（上面凹部）
１７    桁上面溝（上面凹部）
１８    格子孔（上面凹部）
１９    格子孔（上面凹部）
２０    桁部
２４    桁部係合孔（下面凹部）
３０    コンテナ
４０    筒形ケース
５０    蓋体セット
５１    上蓋体
５１Ｃ，６１Ｃ，５１Ｔ，６１Ｔ    直線状係合溝
５１Ｍ    ケース上端係合溝
５２    外側環状嵌合突部（上端外側嵌合突部，環状外縁突部）
５２Ａ，６２Ａ    大膨出部
５２Ｂ，６２Ｂ    小膨出部
５２Ｍ，５３Ｍ    環状溝
５２Ｖ    外側凹部
５３      内側環状嵌合突部（上端内側嵌合突部）
５３Ａ    傾斜面
５３Ｂ    直立面
５３Ｍ    環状溝
５５    第２の上蓋パレット係合突部（上蓋桁部係合突部）
６１    下蓋体
６１Ｍ    ケース下端係合溝
６２    外側環状嵌合突部（下端外側嵌合突部，環状外縁突部）
６３      内側環状嵌合突部（下端内側嵌合突部）
６３Ａ    直立面
６３Ｂ    傾斜面
６４〜６７  第１〜第４の下蓋パレット係合突部
【図１】
2010120678.tif 000003
【図２】
2010120678.tif 000004
【図３】
2010120678.tif 000005
【図４】
2010120678.tif 000006
【図５】
2010120678.tif 000007
【図６】
2010120678.tif 000008
【図７】
2010120678.tif 000009
【図８】
2010120678.tif 000010
【図９】
2010120678.tif 000011
【図１０】
2010120678.tif 000012
【図１１】
2010120678.tif 000013
【図１２】
2010120678.tif 000014
【図１３】
2010120678.tif 000015
【図１４】
2010120678.tif 000016